(57)【特許請求の範囲】
【請求項１】
映像情報を受信する受信手段と、自車が走行しているか否かを検知する走行検知手段と、前記走行検知手段が自車の走行を検知した場合に、前記受信手段により受信された映像情報の表示を停止する制御手段と、前記映像情報の受信時間を設定する予約手段と、を備えた車載映像放送受信装置において、
自車の位置を検知する自車位置検知手段と、
前記自車位置検知手段による検知結果に基づいて、自車位置近傍の地図データを表示する地図データ表示手段と、
車両の停車が可能な停車可能場所を記憶している記憶手段と、
現在時刻が、前記予約手段により設定された受信時間の開始時刻から、予め設定した所定時間だけ前の時刻に達した場合には、前記受信時間が接近している旨の情報を報知すると共に、自車位置近傍の停車可能場所を前記記憶手段から取得して、前記地図データ上に表示する報知手段と、
を備えたことを特徴とする車載映像放送受信装置。
【請求項２】
請求項１記載の車載映像放送受信装置において、
前記停車可能場所の希望条件を設定する入力手段と、
前記入力手段により設定された希望条件に合致する停車可能場所を前記記憶手段から取得して、目的地として設定する目的地設定手段と、
自車の現在位置から前記目的地設定手段により設定された目的地までの経路を取得する経路探索手段と、を備え、
前記報知手段は、前記経路探索手段により取得された経路を前記地図データ上に表示することを特徴とする車載映像放送受信装置。
【発明の詳細な説明】
【０００１】
【発明の属する技術分野】
本発明は、経路誘導手段と映像情報表示手段とを備えた車載映像放送受信装置に関する。
【０００２】
【従来の技術】
従来より、最適経路等の地図情報をモニターに表示すると共にスピーカによって音声案内を行う経路誘導手段と、テレビ放送等の映像情報を受信して表示部に表示する映像情報表示手段とを備えた車載映像放送受信装置が知られている。
【０００３】
この車載映像放送受信装置は、使用者が映像情報の受信時間を予め設定しておくと、設定した受信時間に映像情報を受信して表示部に表示することができるようになっている。
【０００４】
【発明が解決しようとする課題】
しかし、この車載映像放送受信装置は、的確な経路誘導情報を提供する等の理由により、自車走行時には映像情報の表示を停止するようになっている。このため、設定した受信時間に自車が走行中である場合には、設定した受信時間であるにも関わらず映像情報が表示部に表示されないという欠点がある。
【０００５】
本発明はこのような従来の課題を解決するためになされたものであり、その主に目的とするところは、自車走行中に、設定した受信時間が近づいた際に、これを自車の乗員に報知することにより、適切な対応をとるように促すことのできる車載映像放送受信装置を提供することである。
【０００６】
【課題を解決するための手段】
上記目的を達成するため、本願請求項１に記載の発明は、映像情報を受信する受信手段と、自車が走行しているか否かを検知する走行検知手段と、前記走行検知手段が自車の走行を検知した場合に、前記受信手段により受信された映像情報の表示を停止する制御手段と、前記映像情報の受信時間を設定する予約手段と、を備えた車載映像放送受信装置において、自車の位置を検知する自車位置検知手段と、前記自車位置検知手段による検知結果に基づいて、自車位置近傍の地図データを表示する地図データ表示手段と、車両の停車が可能な停車可能場所を記憶している記憶手段と、現在時刻が、前記予約手段により設定された受信時間の開始時刻から、予め設定した所定時間だけ前の時刻に達した場合には、前記受信時間が接近している旨の情報を報知すると共に、自車位置近傍の停車可能場所を前記記憶手段から取得して、前記地図データ上に表示する報知手段と、を備えたことを特徴とする。
【０００８】
請求項２に記載の発明は、請求項１記載の車載映像放送受信装置において、前記停車可能場所の希望条件を設定する入力手段と、前記入力手段により設定された希望条件に合致する停車可能場所を前記記憶手段から取得して、目的地として設定する目的地設定手段と、自車の現在位置から前記目的地設定手段により設定された目的地までの経路を取得する経路探索手段と、を備え、前記報知手段は、前記経路探索手段により取得された経路を前記地図データ上に表示することを特徴とする。
【０００９】
【発明の効果】
請求項１記載の発明では、予約手段により受信時間を設定すると、受信時間の開始時刻より所定時間前に、受信時間が接近している旨の情報を所定の出力形式で出力することができるので、受信時間の開始時刻より所定時間前に乗員に受信時間の接近を伝達することができる。
【００１０】
これによって、受信時間の開始時刻までに自車を停車するよう乗員に促すことができるので、設定した受信時間に自車が走行中であることにより、予約した映像（テレビ放送等）を見ることができないというトラブルを回避することができる。
【００１１】
また、報知手段が自車位置近傍の停車可能場所を前記記憶手段から取得して地図データ上に表示するので、乗員に停車可能場所を伝達することができる。
【００１２】
これによって、乗員は自車を容易かつ迅速に停車可能場所に移動することができる。
【００１３】
請求項２記載の発明では、請求項１記載の発明による効果に加え、入力手段にて希望条件を設定すると、報知手段が希望条件に合致する目的地までの経路を地図データ上に表示するので、乗員に目的地までの経路を伝達することができる。
【００１４】
これによって、乗員は自車をより容易かつ迅速に停車可能場所に移動することができる。
【００１５】
【発明の実施の形態】
以下、本発明の実施形態を図面に基づいて説明する。
【００１６】
まず、本発明に係る車載映像放送受信装置１の構成を図１のブロック図に基づいて説明する。
【００１７】
車載映像放送受信装置１は、操作部（予約手段、入力手段）２と、予約時間記憶部（予約手段、入力手段）３と、希望条件情報記憶部（予約手段、入力手段）４と、地図データ記憶部（記憶手段）５と、ＧＰＳ（Global Positioning System）（自車位置検知手段）６と、現在時刻処理部７と、地図データ読出部（報知手段、地図データ表示手段、目的地設定手段）８と、経路探索部（経路探索手段）９と、テレビ映像受信部（受信手段）１０と、走行検知部（走行検知手段）１１と、表示制御部（制御手段）１２と、比較部１３（報知手段）と、音声案内部（報知手段）１４と、表示部（報知手段）１５と、を備えている。
【００１８】
操作部２は、乗員等の操作者による操作により様々な情報（例えば、希望するテレビ映像の受信時間に関する情報や、停車可能場所の希望条件に関する情報等）の入力を行う。
【００１９】
予約時間記憶部３及び希望条件情報記憶部４は、ＲＡＭ等のメモリーで構成され、予約時間記憶部３は操作部２により入力された受信時間情報を記憶し、希望条件情報記憶部４は操作部２により入力された希望条件情報を記憶する。
【００２０】
なお、受信時間情報及び希望条件情報が予約時間記憶部３及び希望条件情報記憶部４にそれぞれ記憶された時点で、受信時間及び希望条件が設定される。
【００２１】
地図データ記憶部５はＣＤ−ＲＯＭやＤＶＤ等の大容量記憶媒体で構成され、地図データや車両の停車が可能な停車可能場所等を記憶する。
【００２２】
ＧＰＳ６は、自車位置及び現在時刻を検知して自車位置情報及び現在時刻情報を作成し、これらの情報を現在時刻処理部７に出力する。
【００２３】
現在時刻処理部７は、ＧＰＳ６より与えられた情報から現在時刻情報を抽出して比較部１３に出力する。また、抽出後の情報即ち自車位置情報を地図データ読出部８に出力する。
【００２４】
地図データ読出部８は、希望条件情報記憶部４から希望条件情報を取得し、この希望条件情報及び現在時刻処理部７より与えられた自車位置情報に基づいて、希望条件に合致する停車可能場所が表示された自車位置近傍の地図データを地図データ記憶部５から取得する。そして、この地図データを表示制御部１２に出力する。
【００２５】
また、地図データ読出部８は、後述する方法にて選択される目的地が表示された地図データを経路探索部９に出力する。
【００２６】
経路探索部９は、地図データ読出部８より与えられた地図データに基づいて、自車の現在位置から目的地までの経路を取得し、目的地及び自車の現在位置から目的地までの経路が表示された地図データを作成し、この地図データを表示制御部１２に出力する。
【００２７】
テレビ映像受信部１０は、テレビ映像情報を受信して、表示制御部１２に出力する。
【００２８】
走行検知部１１は、速度データを取得して、自車が走行しているか否かを検知し、検知結果情報を表示制御部１２に出力する。
【００２９】
表示制御部１２は、地図データ読出部８及び経路探索部９より与えられた地図データと、テレビ映像受信部２より与えられたテレビ映像情報とのどちらを表示部１５に出力するかを選択し、選択した情報を表示部１５に出力する。
【００３０】
即ち、走行検知部１１より与えられた検知結果情報に基づいて、自車が走行しているか否かを判断し、自車が走行していないと判断した場合には、操作者による手動操作により、地図データ又はテレビ映像情報を報知部１３に出力する。
【００３１】
一方、自車が走行していると判断した場合には、操作者の操作の有無に関わらず、テレビ映像情報を表示部１５に出力せず、地図データのみを表示部１５に出力する。
【００３２】
比較部１３は、現在時刻と受信時間の開始時刻とを比較して、受信時間が接近している旨の情報を音声案内部１４及び表示部１５に必要に応じて出力する。なお、具体的な比較方法及び出力方法については後述する。
【００３３】
音声案内部１４は、比較部１３より与えられた情報を音声にて出力する。
【００３４】
表示部１５は、表示制御部１２及び比較部１３より与えられた情報を表示画面に表示する。
【００３５】
次に、車載映像放送受信装置１０が行う処理の過程を図２のフローチャートを元に説明する。
【００３６】
ステップＳ１にて、操作部２が受信時間情報及び希望条件情報を入力すると、受信時間情報及び希望条件情報が予約時間記憶部３及び希望条件情報記憶部４にそれぞれ記憶される。
【００３７】
ステップＳ２にて、ＧＰＳ６が自車位置情報及び現在時刻情報を現在時刻処理部７に出力し、現在時刻処理部７がＧＰＳ６より与えられた情報から現在時刻情報を抽出して比較部１３に出力する一方、自車位置情報を地図データ読出部８に出力する。そして、比較部１３が現在時刻処理部７より与えられた現在時刻情報に基づいて現在時刻Ｔを判断する一方、予約時間記憶部３から受信時間情報を取得して、受信時間の開始時刻Ｔ０を判断する。
【００３８】
ステップＳ３にて、比較部１３が、現在時刻Ｔと受信時間の開始時刻Ｔ０とを比較する。
【００３９】
即ち、現在時刻Ｔが受信時間の開始時刻Ｔ０よりも所定時間ｔ（時間ｔは操作部２による入力等により予め設定される。）だけ前の時刻に達したか否かを判断する。そして、達していないと判断した場合には、比較処理を継続し（ステップＳ３にてＮＯ）、達したと判断した場合には、受信時間が接近している旨の音声情報及び画像情報をそれぞれ音声案内部１４及び表示部１５に出力する。
【００４０】
ステップＳ４にて、音声案内部１４が比較部１３より与えられた音声情報を出力して音声案内を行い、表示部１５が比較部１３より与えられた画像情報を表示画面に表示する。
【００４１】
ステップＳ５にて、希望条件情報が希望条件情報記憶部４に記憶されている場合には、ステップＳ６以降の処理を行う。
【００４２】
一方、記憶されていない場合には、地図データ読出部８が、現在時刻処理部７より与えられた自車位置情報に基づいて、停車可能場所が表示された自車位置近傍の地図データを地図データ記憶部５から取得する。そして、この地図データを表示制御部１２に出力し、表示制御部１２が、与えられた地図データを表示部１５に出力し、表示部１５が、与えられた地図データを表示画面に表示して処理を終了する（ステップＳ５にてＮＯ）。
【００４３】
ステップＳ６にて、地図データ読出部８が、希望条件情報記憶部４から希望条件情報を取得し、この希望条件情報及び現在時刻処理部７より与えられた自車位置情報に基づいて、希望条件に合致する停車可能場所（例えば、希望条件が「テレビを見ることができるレストランの駐車場」である場合には、「テレビを見ることができるレストランの駐車場」の場所）が表示された自車位置近傍の地図データを地図データ記憶部５から取得する。
【００４４】
そして、この地図データを表示制御部１２に出力し、表示制御部１２は与えられた地図データを表示部１５に出力し、表示部１５は与えられた地図データを表示画面に表示する。
【００４５】
ステップＳ７にて、希望条件に合致する停車可能場所が複数ある場合には、操作者がこれらの停車可能場所から目的地を選択し、選択した目的地に関する情報を操作部２を用いて入力する。入力された情報は、地図データ読出部８に送られ、地図データ読出部８は与えられた情報に基づいて目的地を設定する。一方、希望条件に合致する停車可能場所が一つだけである場合には、地図データ読出部８はこの場所を目的地に設定する。
【００４６】
ステップＳ８にて、地図データ読出部８が目的地の場所が表示された地図データを作成して経路探索部９に出力し、経路探索部９は、与えられた地図データに基づいて目的地までの経路を取得し、目的地及び目的地までの経路が表示された地図データを作成する。そして、この地図データを表示制御部１２に出力する。
【００４７】
ステップＳ９にて、表示制御部１２が、与えられた地図データを表示部１５に出力し、表示部１５が、与えられた地図データを表示画面に表示して、処理を終了する。
【００４８】
以上により、本実施の形態では、受信時間が設定されると、受信時間の開始時刻Ｔ０より所定時間ｔ前に、受信時間が接近している旨の情報を音声案内部１４が音声にて出力すると共に表示部１５が表示画面に表示するので、受信時間の開始時刻Ｔ０より所定時間ｔ前に乗員に受信時間の接近を伝達することができる。
【００４９】
これによって、受信時間の開始時刻Ｔ０までに自車を停車するよう乗員に促すことができる。
【００５０】
さらに、停車可能場所が表示された地図データ又は目的地及び目的地までの経路が表示された地図データを表示画面に表示するので、停車可能場所又は目的地及び目的地までの経路を乗員に伝達することができる。
【００５１】
これによって、乗員は自車を停車可能場所に容易かつ迅速に移動することができる。
【００５２】
したがって、設定した受信時間に自車が走行中であることにより、予約したテレビ映像を見ることができないというトラブルを回避することができる。
【００５３】
なお、本実施の形態では、受信手段としてテレビ映像受信部１０を備えた車載映像放送受信装置１を例に挙げたが、本発明はこれに限定されるものではなく、他の受信手段（例えば、衛星放送受信手段）についても適用することができる。
【図面の簡単な説明】
【図１】本発明に係る車載映像放送受信装置のブロック図である。
【図２】車載映像放送受信装置の処理の過程を示すフローチャートである。
【符号の説明】
１    車載映像放送受信装置
２    操作部（予約手段、入力手段）
３    予約時間記憶部（予約手段、入力手段）
４    希望条件情報記憶部（予約手段、入力手段）
５    地図データ記憶部（記憶手段）
６    ＧＰＳ（自車位置検知手段）
８    地図データ読出部（報知手段、地図データ表示手段、目的地設定手段）
９    経路探索部（経路探索手段）
１０    テレビ映像受信部（受信手段）
１１    走行検知部（走行検知手段）
１２    表示制御部（制御手段）
１３    比較部（報知手段）
１４    音声案内部（報知手段）
１５    表示部（報知手段）
【図１】
0004058963.tif 000002
【図２】
0004058963.tif 000003